(57)【要約】【課題】電気メトロノームやシンセサイザーの電子音を発音させながら、アコースティック音でのピアノ演奏を行うことが可能な消音ピアノを提供すること。【解決手段】スピーカ付き消音ピアノ１００は、消音モードを選択操作するためのモード切換スイッチ５と、このモード切換スイッチ５で消音モードが選択操作されたことに応答して、打弦機構３０の打弦を抑止する打弦抑止機構６と、この消音モード中に押鍵操作が行われた場合、この押鍵操作に対応した電子音を発音するように電子音源９を制御する一方、消音モードが解除され非消音モードとなった場合、押鍵操作に対応する電子音以外の他の電子音を発音するように電子音源９を制御する制御部７と、この発音された電子音を放音するスピーカ１１とを備えている。【選択図】  図１
2006227226.tif 000002
【特許請求の範囲】
【請求項１】
押鍵操作に応じて打弦を行う打弦機構を備えたピアノにおいて、
消音モードを選択操作するための操作手段と、
この操作手段で消音モードが選択操作されたことに応答して、前記打弦機構の打弦を抑止する打弦抑止機構と、
この消音モード中に押鍵操作が行われた場合、この押鍵操作に対応した電子音を発音するように電子音源を制御する一方、
前記消音モードが解除された場合、前記押鍵操作に対応する電子音以外の他の電子音を発音するように前記電子音源を制御する制御手段と、
この発音された電子音を放音するスピーカと、を備えたスピーカ付き消音ピアノ。
【請求項２】
請求項１に記載の消音ピアノにおいて、
前記他の電子音は、電気メトロノームの電子音であることを特徴とするスピーカ付き消音ピアノ。
【発明の詳細な説明】
【技術分野】
【０００１】
本発明は、押鍵操作に応じて打弦を行う打弦機構を備えたスピーカ付き消音ピアノに関する。
【背景技術】
【０００２】
従来から、夜間等に演奏を行う際の周辺への騒音問題を防ぐために鍵盤を押鍵しても打弦が抑止され、通常の打弦でのアコースティック音を発生させずに押鍵に応じた電子音を発生させる消音ピアノにおいて、この消音ピアノにスピーカを取り付けて電子音をスピーカから出力させ、この出力される電子音の音量を小さく調節することにより、周辺への騒音問題を防ぎながら夜間等にヘッドフォンを使用しないで演奏を行えるようにしたものが提案されている。例えば、打弦を抑止したときに、鍵盤の押鍵に応じて各鍵毎に発光素子および受光素子によって押鍵や離鍵のタイミングや速度を検出し、この検出に従って電子音源を制御し、電子音源で生成された楽音をスピーカが放音するものが提案されていた（例えば、特許文献１参照。）。
【０００３】
【特許文献１】実開平７−２３３９６号公報（第６−１１頁、第１図）
【発明の開示】
【発明が解決しようとする課題】
【０００４】
確かに、このような消音ピアノにあっては、アコースティック音を発生させずにスピーカから出力される電子音の音量を調節して、周辺への騒音の発生を防ぎながら夜間等に演奏を行うことが可能である。しかしながら、このような消音ピアノにおいては、打弦を抑止したときには電子音が発音されて上述のように鍵盤の押鍵によるアコースティック音が発生しない状態となり、打弦を抑止しないときには、鍵盤の押鍵によりアコースティック音が発生するが鍵盤の押鍵に応じた電子音だけでなく、消音ピアノ内部に設けられた電気メトロノームやシンセサイザー等の多種多様な電子音の全てが発音しない状態となっていた。
【０００５】
このため、例えば打弦を抑止しないときに、鍵盤を押鍵してアコースティック音で演奏しながら電気メトロノームの電子音を発音させて、この電気メトロノームの電子音に拍子を合わせたアコースティック音での演奏や、アコースティック音での演奏にシンセサイザー音の伴奏を付加すること等を行うことができないという問題があった。
【０００６】
本発明は、かかる従来の課題を解決するためになされたもので、電気メトロノームやシンセサイザーの電子音を発音させながら、アコースティック音でのピアノ演奏を行うことが可能な消音ピアノを提供することを目的とする。
【課題を解決するための手段】
【０００７】
上記目的を達成するために、本発明は、押鍵操作に応じて打弦を行う打弦機構を備えたピアノにおいて、
消音モードを選択操作するための操作手段と、
この操作手段で消音モードが選択操作されたことに応答して、前記打弦機構の打弦を抑止する打弦抑止機構と、
この消音モード中に押鍵操作が行われた場合、この押鍵操作に対応した電子音を発音するように電子音源を制御する一方、
前記消音モードが解除された場合、前記押鍵操作に対応する電子音以外の他の電子音を発音するように前記電子音源を制御する制御手段と、
この発音された電子音を放音するスピーカと、を備えたスピーカ付き消音ピアノである。
【０００８】
この発明においては、操作手段で消音モードが選択操作されたことに応答して、打弦機構の打弦を抑止したときに消音モード中に押鍵操作が行われた場合、この押鍵操作対応した電子音を発音するように電子音源が制御される一方、消音モードが解除された場合、押鍵操作に対応する電子音以外の他の電子音を発音するように電子音源が制御され、この発音された電子音をスピーカが放音するので、消音モードが解除された際に、押鍵操作に対応する電子音以外の他の電子音を発音させながら、アコースティック音でのピアノ演奏を行い、多種多様な演奏を実現することができる。
【０００９】
また、請求項１に記載の消音ピアノにおいて、前記他の電子音は、電気メトロノームの電子音とすることも可能である。
【発明の効果】
【００１０】
本発明によれば、電気メトロノームやシンセサイザーの電子音を発音させながら、アコースティック音でのピアノ演奏を行うことが可能になるという効果が得られる。
【発明を実施するための最良の形態】
【００１１】
以下、本発明を実施するための最良の形態を図面を参照しつつ説明する。
【００１２】
（構成）
図１、図２は本実施を実施するための最良の形態のスピーカ付き消音ピアノ１００の構成を示す説明図である。本実施の形態のスピーカ付き消音ピアノ１００は、図２に示すように、アコースティック音や電子音でのピアノ演奏を行うための鍵盤２０と、鍵盤２０の押鍵に応じて鍵盤２０の各鍵に張られた弦をフェルトハンマーにより打弦する、図示しない打弦機構３０とを備えている。また、スピーカ付き消音ピアノ１００は、電子音を発音させるための構成として更に、押鍵検出部１、電気メトロノーム２、レコーダー３、ＭＩＤＩ入力Ｉ／Ｆ（インターフェース）４、モード切換スイッチ５、打弦抑止機構６、制御部７、ＲＯＭ８、電子音源９、アンプ１０、スピーカ１１、ＲＡＭ１２、ＭＩＤＩ出力Ｉ／Ｆ（インターフェース）１３を備えている。
【００１３】
押鍵検出部１は、鍵盤２０の各鍵の内部に設けられたセンサ等であって、打弦抑止機構６を作動させて鍵盤２０の押鍵に応じた打弦を抑止したときに、鍵盤２０が押鍵されたことを検出して押鍵された各鍵に対応した信号を制御部７に対して送信する機能を有する。
【００１４】
電気メトロノーム２は、ピアノ演奏時の拍子に合わせた電子音を出力させるための装置であり、演奏者の操作に応じて操作されたことを示す信号を制御部７に対して送信する機能を有する。また、電気メトロノーム２は、図示しないスイッチを操作してテンポを設定すれば、この設定されたテンポで電子音を発音させることが可能となっており、電気メトロノーム２のみを操作して発音させることができるようになっている。
【００１５】
レコーダー３は、予めＲＯＭ８に格納されている各種のシンセサイザー音を予め記録された演奏音のデータに基づいてシンセサイザー音を出力させるためのスイッチであり、演奏者の操作に応じて各種のシンセサイザー音に対応した信号を制御部７に対して送信する機能を有する。また、レコーダー３は、電気メトロノーム２が操作されているときには、所定のタイミング信号を電気メトロノーム２に送信し、電気メトロノーム２からこのタイミング信号に対応したタイミングで信号が制御部７に送信される。そして、電気メトロノーム２による電子音の拍子と同期してシンセサイザー音が出力されるようになっている。
【００１６】
ＭＩＤＩ入力Ｉ／Ｆ４は、ＭＩＤＩ規格のケーブルを介して外部の電子楽器と接続するための入力端子であり、ＭＩＤＩ入力Ｉ／Ｆ４に接続された外部の電子楽器からこの外部の電子楽器が操作されたことを示す信号が出力されると、この信号を制御部７に送信されるようになっている。
【００１７】
モード切換スイッチ５は、消音モードと非消音モードとを切り換えるためのスイッチであり、演奏者により消音モードまたは非消音モードが選択操作されると、消音モード情報または非消音モード情報を制御部７に送信する機能を有する。消音モードとは、ピアノ演奏で鍵盤２０の押鍵に応じてアコースティック音を発生させずに電子音を発音させるモードであり、非消音モードとは、逆にピアノ演奏で鍵盤２０の押鍵に応じて電子音を発音させずにアコースティック音を発生させるモードである。
【００１８】
なお、モード切換スイッチ５は、打弦抑止機構６を作動させるレバーと、ピアノ演奏で鍵盤２０の押鍵に応じて電子音を発音させる制御を制御部７に行わせるか否かを選択するスイッチとを組み合わせたものであっても良い。
【００１９】
打弦抑止機構６は、モード切換スイッチ５で消音モードが選択操作されたことに応答して、打弦機構３０の打弦を抑止する機能を有する。この打弦抑止機構６は、例えば棒部材がフェルトハンマーが弦に振り下ろされるその軌道上に配置されて、フェルトハンマーが振り下ろされたときに棒部材に衝突し、その動作を止めることにより打弦を抑止するようになっている。
【００２０】
制御部７は、押鍵検出部１、電気メトロノーム２、レコーダー３、ＭＩＤＩ入力Ｉ／Ｆ４から信号が送信されると、その信号に対応した電子音のデータをＲＯＭ８から読み出し、電子音源９またはＭＩＤＩ出力Ｉ／Ｆ１３に送信する機能を有する。また、モード切換スイッチ５から消音モード情報または非消音モード情報が送信されるとＲＡＭ１２に格納するようになっている。
【００２１】
ＲＯＭ８には、鍵盤２０の各鍵に対応した電子音のデータを含むキーボードデータ８０１、電気メトロノームの電子音を含むメトロノームデータ８０２、レコーダー３の操作に応じたシンセサイザー音や予め記録された演奏での電子音のデータを含むレコーダートラック１データおよびレコーダートラック２データ、ＭＩＤＩ入力Ｉ／Ｆ４に接続された各種の外部の電子楽器に対応した電子音のデータを含むＭＩＤＩチャンネル１データ、…ＭＩＤＩチャンネル１６データが格納されている。
【００２２】
電子音源９は、制御部７から送信された電子音のデータに基づいて電子音を発音する機能を有する。アンプ１０は、電子音源９が発音した電子音をスピーカ１１により放音させる機能を有する。ＲＡＭ１２には、消音モード情報または非消音モード情報が格納されるようになっている。ＭＩＤＩ出力Ｉ／Ｆ１３は、制御部７から送信された、ＭＩＤＩ入力Ｉ／Ｆ４に接続された各種の外部の電子楽器に対応した電子音のデータを出力するための出力端子である。
【００２３】
（作用）
続いて、本実施の形態のスピーカ付き消音ピアノ１００の作用について図３に示すフローチャート図を用いて詳細に説明する。まず、演奏者がモード切換スイッチ５を操作して消音モードまたは非消音モードを選択操作し、消音モード情報または非消音モード情報が送信されると、制御部７は、消音モード情報または非消音モード情報をＲＡＭ１２に格納する。そして、制御部７は、信号が送信されるとこの信号が電気メトロノーム２から送信された信号であるか否かを判定する（ステップＳ３０１）。
【００２４】
次に、この信号が電気メトロノーム２からの信号である場合には（ステップＳ３０１のＹＥＳ）、制御部７は電気メトロノーム２の電子音を発音させる処理を実行する。ＲＯＭ８からメトロノームデータ８０２を読み出し、送信された信号と共に電子音源９に送信する。電子音源９は、送信されたメトロノームデータ８０２に基づいて電気メトロノーム２の電子音を発音し、信号で設定されたテンポに従ってアンプ１０およびスピーカ１１により放音させる。
【００２５】
次に、信号が電気メトロノーム２からの信号でない場合には（ステップＳ３０１のＮＯ）、制御部７は、信号がＭＩＤＩ入力Ｉ／Ｆ４から送信された信号であるか否かを判定する（ステップＳ３０３）。
【００２６】
次に、信号がＭＩＤＩ入力Ｉ／Ｆ４からの信号である場合には（ステップＳ３０３のＹＥＳ）、制御部７はＭＩＤＩ入力Ｉ／Ｆ４に接続された外部の電子楽器の電子音を発音させる処理を実行する。ＲＯＭ８から、ＭＩＤＩチャンネル１データ８０５…ＭＩＤＩチャンネル１６データ８２０のうちＭＩＤＩ入力Ｉ／Ｆ４に接続された外部の電子楽器に対応したものを読み出し、ＭＩＤＩ出力Ｉ／Ｆ１３を介して当該外部の電子楽器に送信する。当該外部の電子楽器では、送信された電子音のデータに基づいて電子音が発音される。
【００２７】
次に、信号がＭＩＤＩ入力Ｉ／Ｆ４からの信号でない場合には（ステップＳ３０３のＮＯ）、制御部７は、信号がレコーダー３から送信された信号であるか否かを判定する（ステップＳ３０５）。
【００２８】
次に、この信号がレコーダー３からの信号である場合には（ステップＳ３０５のＹＥＳ）、制御部７は電気メトロノーム２の電子音を発音させる処理を実行する。ＲＯＭ８からレコーダートラック１データ８０３、レコーダートラック２データ８０４のうちレコーダー３で操作されたシンセサイザーの音に対応したものを読み出し電子音源９に送信する。電子音源９は、送信された電子音のデータに基づいてシンセサイザーの電子音を発音しアンプ１０およびスピーカ１１により放音させる。
【００２９】
次に、信号がレコーダー３からの信号でない場合には（ステップＳ３０５のＮＯ）、制御部７は、信号が押鍵検出部１から送信された信号であるか否かを判定する（ステップＳ３０７）。
【００３０】
次に、この信号が押鍵検出部１からの信号である場合には（ステップＳ３０７のＹＥＳ）、制御部７は現在スピーカ付き消音ピアノ１００に設定されているモードが消音モードであるか否かを判定する処理を行う（ステップＳ３０８）。ＲＡＭ１２に格納された情報を読み出し、この情報が消音モード情報であるか否かを判定する。
【００３１】
次に、この情報が消音モード情報である場合には現在消音モードに設定されていると判定し（ステップＳ３０８のＹＥＳ）、制御部７は鍵盤２０の押鍵に応じた電子音を発音させる処理を実行する。押鍵検出部１からの信号に対応した鍵盤２０の鍵の電子音のデータを、ＲＯＭ８に格納されたキーボードデータ８０１から読み出し、電子音源９に送信する。電子音源９は、送信された鍵盤２０の鍵の電子音のデータに基づいてその鍵の電子音を発音しアンプ１０およびスピーカ１１により放音させる。また、この情報が非消音モード情報である場合には現在非消音モードに設定されていると判定し（ステップＳ３０８のＮＯ）、制御部７は処理を終了する。
【００３２】
このように、スピーカ付き消音ピアノ１００は、消音モードを選択操作するためのモード切換スイッチ５と、このモード切換スイッチ５で消音モードが選択操作されたことに応答して、打弦機構３０の打弦を抑止する打弦抑止機構６と、この消音モード中に押鍵操作が行われた場合、この押鍵操作に対応した電子音を発音するように電子音源９を制御する一方、消音モードが解除され非消音モードとなった場合、押鍵操作に対応する電子音以外の他の電子音を発音するように電子音源９を制御する制御部７と、この発音された電子音を放音するスピーカ１１とを備えている。そして、制御部７は、信号が送信されるとこの信号が電気メトロノーム２等から送信された信号であるか否かを判定し、電気メトロノーム２等の電子音を電子音源９から発音させる処理を行う。また、信号が押鍵検出部１から送信された信号である場合には、消音モードに設定されているか否かを判定し消音モードである場合には鍵盤２０の押鍵された鍵に対応した電子音を電子音源９から発音させる処理を行い、非消音モードである場合には鍵盤２０の押鍵された鍵に対応した電子音を発音させずにそのまま処理を終了する。
【００３３】
このため、消音モードのときには、スピーカ付き消音ピアノ１００は、電気メトロノーム２等の電子音を発音させながら鍵盤２０の押鍵に対応した電子音を発音させてスピーカ１１から放音するので、例えばスピーカ１１の音量を調節して、夜間等の演奏を行うことを可能とすることができる。そして、消音モードが解除され非消音モードとされたときには、鍵盤２０の押鍵された鍵に対応した電子音を発音させずに、鍵盤２０の押鍵された鍵に対応した電子音以外の電気メトロノーム２等の電子音を発音させてスピーカ１１から放音するので、電気メトロノーム２やシンセサイザー等の電子音を発音させながらアコースティック音でのピアノ演奏を行うことが可能となる。即ち、電気メトロノームの電子音により拍子を合わせながら、または、シンセサイザー音での伴奏を付加してアコースティック音でのピアノ演奏を行うことが可能である。
【００３４】
なお、以上本発明を実施するための最良の形態について説明したが、本発明の要旨を逸脱しない範囲内で上記実施形態に種々の変形や変更を施すことも可能である。
【産業上の利用可能性】
【００３５】
本発明は、押鍵操作に応じて打弦を行う打弦機構を備えたスピーカ付き消音ピアノにおいて利用することが可能である。
【図面の簡単な説明】
【００３６】
【図１】スピーカ付き消音ピアノ１００の構成を示す説明図である。
【図２】スピーカ付き消音ピアノ１００の外観構成を示す構成図である。
【図３】制御部７の処理を示すフローチャート図である。
【符号の説明】
【００３７】
１  押鍵検出部
２  電気メトロノーム
３  レコーダー
４  ＭＩＤＩ入力Ｉ／Ｆ
５  モード切換スイッチ
６  打弦抑止機構
７  制御部
８  ＲＯＭ
９  電子音源
１０  アンプ
１１  スピーカー
１２  ＲＡＭ
１３  ＭＩＤＩ出力Ｉ／Ｆ
２０  鍵盤
３０  打弦機構
１００  スピーカ付き消音ピアノ
【図１】
2006227226.tif 000003
【図２】
2006227226.tif 000004
【図３】
2006227226.tif 000005